(57)【要約】【課題】本発明はブレ防止自撮り棒を開示した。    【解決手段】ハンドルを含み、第二伸縮節と第一伸縮節とを広げた後、撮影ボタンを押して撮影を行い、撮影の距離が比較的に遠い時、前記第一支持ロッドと前記第二支持ロッドとを伸ばして地面又は体に支持して撮影を行い、自撮り棒の撮影距離を増やし、伸縮節に支持ロッドを装着して自撮り棒の安定性を向上させ、撮影する時に腕の受ける力を減らし、三脚として使用でき、自撮り棒の使用範囲を増やし、ブレ防止部品は撮影している携帯とカメラに狭い範囲でブレを防止でき、挟みヘッドがボタン式の挟み方式を使用して挟み板を開けることに便利を与える。【選択図】図１
2020140189.tif 000002
【特許請求の範囲】
【請求項１】
正面視で、ハンドルを含み、前記ハンドルの外側端面にはゴムカバーが固定的に装着され、前記ハンドルには支持部品が連結され、前記支持部品は第一伸縮節と第二伸縮節とを含み、前記第二伸縮節には支持できる第一支持ロッドと第二支持ロッドとが固定的に装着され、前記第二伸縮節には装置の回転角度を調節する調節部品が固定的に装着され、前記調節部品は撮影角度を調節する第一つまみと第二つまみとを含み、前記調節機構の上側にはブレ防止部品が設置され、前記ブレ防止部品はブレを防止できる第一ブレ防止ばねと第二ブレ防止ばねとを含むことを特徴とするブレ防止自撮り棒。
【請求項２】
前記支持部品は前記ハンドルの中に設置されたブルートゥースモジュールを含み、前記ゴムカバーが前記ハンドルの外側端面に固定的に装着され、前記ハンドルの中には電池チャンバが設置され、前記電池チャンバの中には蓄電池が固定的に装着され、前記ハンドルの中には処理器チャンバが設置され、前記処理器チャンバの頂部と前記ハンドルの頂部端面には撮影ボタンがスライドできるように装着され、前記処理器チャンバの中には撮影処理器が固定的に装着され、前記撮影処理器の左側にはデータ線が固定的に装着され、前記ハンドルの左側端面には第一伸縮節が固定的に装着され、前記第一伸縮節の中には第二伸縮節がスライドできるように装着され、前記第二伸縮節には固定ブロックが固定的に装着され、前記第一支持ロッドが前記固定ブロックにヒンジにより装着され、前記第二支持ロッドが前記第一支持ロッドとスライドできるように連結され、前記第二支持ロッドにはバックルが固定的に装着され、前記バックルが前記第一伸縮節に引っ掛かることができ、前記第二支持ロッドの底部端面には第一球形ボタンが固定的に装着され、前記第一球形ボタンの中には第二球形ボタンが回転できるように装着され、前記第二球形ボタンの底部端面には支持脚が固定的に装着され、これにより第二伸縮節と第一伸縮節とを広げた後、撮影ボタンを押して撮影を行い、撮影ボタンが撮影処理器を触発させて信号をデータ線に伝送させ、撮影の距離が比較的に遠い時、第一支持ロッドと第二支持ロッドとを伸ばして地面又は体に支持して撮影を行い、他の補助部品により自撮り棒を三脚として使用できることを特徴とする請求項１に記載のブレ防止自撮り棒。
【請求項３】
前記調節部品は前記第二伸縮節の左側端面に固定的に装着された固定カバーを含み、前記固定カバーの左側端面には波紋管が固定的に装着され、前記データ線は前記波紋管を通してプラグと連結され、前記固定カバーの左側端面には第一摩擦盤がが固定的に装着され、前記第一つまみが前記固定カバーとヒンジにより装着され、前記第一つまみには第一調節ロッドが回転できるように装着され、前記第一調節ロッドの右側端面には第二摩擦盤が固定的に装着され、前記第一摩擦盤と前記第二摩擦盤とが摩擦により連結され、前記固定カバーには固定引っ掛かり外殻が固定的に装着され、前記第一調節ロッドの頂部端面には第二調節ロッドが固定的に装着され、前記第二つまみが前記第二調節ロッドの前後端面に前後対称的に、且つ回転できるように装着され、これにより第一つまみを回転させて装置に前後に角度を調節させることができ、第二つまみを回転させて装置に左右に角度を調節させることができ、波紋管がデータ線を引き切ることを防止できることを特徴とする請求項１に記載のブレ防止自撮り棒。
【請求項４】
前記ブレ防止部品はブレ防止外殻を含み、前記ブレ防止外殻が前記第二調節ロッドとスライドできるように装着され、前記ブレ防止外殻の中には第一ブレ防止チャンバが設置され、前記第一ブレ防止チャンバの中にはスライド外殻がスライドできるように装着され、前記スライド外殻の中には第二ブレ防止チャンバが設置され、前記第一ブレ防止ばねが前記第一ブレ防止チャンバの底壁と前記スライド外殻の底部端面との間に中心対称的に、且つ固定的に装着され、前記第一ブレ防止ばねが四つ設置され、且つ前記第一ブレ防止ばねが前記スライド外殻の中心を回って均一的に分布され、前記スライド外殻には底板ブロックが設置され、前記底板ブロックが前記スライド外殻とスライドできるように装着され、前記底板ブロックの底部端面には連接台が固定的に装着され、前記連接台には連接リングが固定的に装着され、前記第二ブレ防止ばねが前記連接リングの外側端面と前記第二ブレ防止チャンバの内壁との間に中心対称的に、且つ固定的に装着され、前記第二ブレ防止ばねが六つ設置され、且つ前記第二ブレ防止ばねが前記連接台を回って均一的に分布され、前記底板ブロックの頂部端面には第一挟みロッドが前後対称的に、且つ固定的に装着され、前記第一挟みロッドの中には挟みスライド溝が設置され、前記挟みスライド溝の中には第二挟みロッドがスライドできるように装着され、前記第二挟みロッドの底部端面と前記挟みスライド溝の底壁との間には挟みばねが固定的に装着され、前記第二挟みロッドの頂部端面には挟み板が固定的に装着され、前記挟み板の底部端面には第一挟みゴムが固定的に装着され、前記底板ブロックの頂部端面には第二挟みゴムが固定的に装着され、前記第一挟みロッドの左側端面には挟み板ボタンがヒンジにより装着され、これにより前記挟み板ボタンを押し、挟み板ボタンが挟み板を推し動かして上方へ運動させ、携帯又はカメラを挟み、撮影をし始め、第一ブレ防止ばねが上下のブレを防止でき、第二ブレ防止ばねが前後左右のブレを防止できることを特徴とする請求項１に記載のブレ防止自撮り棒。
【発明の詳細な説明】
【技術分野】
【０００１】
本発明は日用品技術分野を取り上げて、具体的にはブレ防止自撮り棒である。
【背景技術】
【０００２】
従来技術における自撮り棒は写真を撮る時にブレが起きる現象が発生しやすく、写真がぼやけ、撮影の質が悪く、自撮り棒を手で持って写真を撮るしかできないため、自撮り棒の機能が制限され、自撮り棒が応じられる環境は単一である。
【先行技術文献】
【特許文献】
【０００３】
【特許文献１】中国特許出願公開第１０９４９５６２７号明細書
【発明の概要】
【発明が解決しようとする課題】
【０００４】
本発明はブレ防止自撮り棒を提供し、従来技術における上記欠点を解消することを目的とする。
【課題を解決するための手段】
【０００５】
本発明の実施例のブレ防止自撮り棒は、ハンドルを含み、前記ハンドルの外側端面にはゴムカバーが固定的に装着され、前記ハンドルには支持部品が連結され、前記支持部品は第一伸縮節と第二伸縮節とを含み、前記第二伸縮節には支持できる第一支持ロッドと第二支持ロッドとが固定的に装着され、前記第二伸縮節には装置の回転角度を調節する調節部品が固定的に装着され、前記調節部品は撮影角度を調節する第一つまみと第二つまみとを含み、前記調節機構の上側にはブレ防止部品が設置され、前記ブレ防止部品はブレを防止できる第一ブレ防止ばねと第二ブレ防止ばねとを含む。
【０００６】
更の技術プランとしては、前記支持部品は前記ハンドルの中に設置されたブルートゥースモジュールを含み、前記ゴムカバーが前記ハンドルの外側端面に固定的に装着され、前記ハンドルの中には電池チャンバが設置され、前記電池チャンバの中には蓄電池が固定的に装着され、前記ハンドルの中には処理器チャンバが設置され、前記処理器チャンバの頂部と前記ハンドルの頂部端面には撮影ボタンがスライドできるように装着され、前記処理器チャンバの中には撮影処理器が固定的に装着され、前記撮影処理器の左側にはデータ線が固定的に装着され、前記ハンドルの左側端面には第一伸縮節が固定的に装着され、前記第一伸縮節の中には第二伸縮節がスライドできるように装着され、前記第二伸縮節には固定ブロックが固定的に装着され、前記第一支持ロッドが前記固定ブロックにヒンジにより装着され、前記第二支持ロッドが前記第一支持ロッドとスライドできるように連結され、前記第二支持ロッドにはバックルが固定的に装着され、前記バックルが前記第一伸縮節に引っ掛かることができ、前記第二支持ロッドの底部端面には第一球形ボタンが固定的に装着され、前記第一球形ボタンの中には第二球形ボタンが回転できるように装着され、前記第二球形ボタンの底部端面には支持脚が固定的に装着されている。
【０００７】
更の技術プランとしては、前記調節部品は前記第二伸縮節の左側端面に固定的に装着された固定カバーを含み、前記固定カバーの左側端面には波紋管が固定的に装着され、前記データ線は前記波紋管を通してプラグと連結され、前記固定カバーの左側端面には第一摩擦盤がが固定的に装着され、前記第一つまみが前記固定カバーとヒンジにより装着され、前記第一つまみには第一調節ロッドが回転できるように装着され、前記第一調節ロッドの右側端面には第二摩擦盤が固定的に装着され、前記第一摩擦盤と前記第二摩擦盤とが摩擦により連結され、前記固定カバーには固定引っ掛かり外殻が固定的に装着され、前記第一調節ロッドの頂部端面には第二調節ロッドが固定的に装着され、前記第二つまみが前記第二調節ロッドの前後端面に前後対称的に、且つ回転できるように装着されている。
【０００８】
更の技術プランとしては、前記ブレ防止部品はブレ防止外殻を含み、前記ブレ防止外殻が前記第二調節ロッドとスライドできるように装着され、前記ブレ防止外殻の中には第一ブレ防止チャンバが設置され、前記第一ブレ防止チャンバの中にはスライド外殻がスライドできるように装着され、前記スライド外殻の中には第二ブレ防止チャンバが設置され、前記第一ブレ防止ばねが前記第一ブレ防止チャンバの底壁と前記スライド外殻の底部端面との間に中心対称的に、且つ固定的に装着され、前記第一ブレ防止ばねが四つ設置され、且つ前記第一ブレ防止ばねが前記スライド外殻の中心を回って均一的に分布され、前記スライド外殻には底板ブロックが設置され、前記底板ブロックが前記スライド外殻とスライドできるように装着され、前記底板ブロックの底部端面には連接台が固定的に装着され、前記連接台には連接リングが固定的に装着され、前記第二ブレ防止ばねが前記連接リングの外側端面と前記第二ブレ防止チャンバの内壁との間に中心対称的に、且つ固定的に装着され、前記第二ブレ防止ばねが六つ設置され、且つ前記第二ブレ防止ばねが前記連接台を回って均一的に分布され、前記底板ブロックの頂部端面には第一挟みロッドが前後対称的に、且つ固定的に装着され、前記第一挟みロッドの中には挟みスライド溝が設置され、前記挟みスライド溝の中には第二挟みロッドがスライドできるように装着され、前記第二挟みロッドの底部端面と前記挟みスライド溝の底壁との間には挟みばねが固定的に装着され、前記第二挟みロッドの頂部端面には挟み板が固定的に装着され、前記挟み板の底部端面には第一挟みゴムが固定的に装着され、前記底板ブロックの頂部端面には第二挟みゴムが固定的に装着され、前記第一挟みロッドの左側端面には挟み板ボタンがヒンジにより装着されている。
【発明の効果】
【０００９】
本発明の有益効果は：本発明の自撮り棒の内部にブルートゥースモジュールを設置し、自撮り棒の撮影距離を増やし、伸縮節に支持ロッドを装着して自撮り棒の安定性を向上させ、撮影する時に腕の受ける力を減らし、三脚として使用でき、自撮り棒の使用範囲を増やし、ブレ防止部品は撮影している携帯とカメラに狭い範囲でブレを防止でき、挟みヘッドがボタン式の挟み方式を使用して挟み板を開けることに便利を与え、使用が便利であり、普及する価値がある。
【図面の簡単な説明】
【００１０】
下記に図１〜２をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成模式図
【図２】図２は図１のＡ−Ａ方向の断面構成模式図
【発明を実施するための形態】
【００１２】
図１〜２を参照し、本発明の実施例のブレ防止自撮り棒は、ハンドル１０を含み、前記ハンドル１０の外側端面にはゴムカバー１４が固定的に装着され、前記ハンドル１０には支持部品３００が連結され、前記支持部品３００は第一伸縮節１８と第二伸縮節１９とを含み、前記第二伸縮節１９には支持できる第一支持ロッド２２と第二支持ロッド２３とが固定的に装着され、前記第二伸縮節１９には装置の回転角度を調節する調節部品３０１が固定的に装着され、前記調節部品３０１は撮影角度を調節する第一つまみ３０と第二つまみ３５とを含み、前記調節機構の上側にはブレ防止部品３０２が設置され、前記ブレ防止部品３０２はブレを防止できる第一ブレ防止ばね５２と第二ブレ防止ばね４９とを含む。    
【００１３】
前記支持部品３００は前記ハンドル１０の中に設置されたブルートゥースモジュール１３を含み、前記ゴムカバー１４が前記ハンドル１０の外側端面に固定的に装着され、前記ハンドル１０の中には電池チャンバ１１が設置され、前記電池チャンバ１１の中には蓄電池１２が固定的に装着され、前記ハンドル１０の中には処理器チャンバ１６が設置され、前記処理器チャンバ１６の頂部と前記ハンドル１０の頂部端面には撮影ボタン１５がスライドできるように装着され、前記処理器チャンバ１６の中には撮影処理器１７が固定的に装着され、前記撮影処理器１７の左側にはデータ線２０が固定的に装着され、前記ハンドル１０の左側端面には第一伸縮節１８が固定的に装着され、前記第一伸縮節１８の中には第二伸縮節１９がスライドできるように装着され、前記第二伸縮節１９には固定ブロック２１が固定的に装着され、前記第一支持ロッド２２が前記固定ブロック２１にヒンジにより装着され、前記第二支持ロッド２３が前記第一支持ロッド２２とスライドできるように連結され、前記第二支持ロッド２３にはバックル５３が固定的に装着され、前記バックル５３が前記第一伸縮節１８に引っ掛かることができ、前記第二支持ロッド２３の底部端面には第一球形ボタン２４が固定的に装着され、前記第一球形ボタン２４の中には第二球形ボタン２５が回転できるように装着され、前記第二球形ボタン２５の底部端面には支持脚２６が固定的に装着され、これにより第二伸縮節１９と第一伸縮節１８とを広げた後、撮影ボタン１５を押して撮影を行い、撮影ボタン１５が撮影処理器１７を触発させて信号をデータ線２０に伝送させ、撮影の距離が比較的に遠い時、第一支持ロッド２と第二支持ロッド２３とを伸ばして地面又は体に支持して撮影を行い、他の補助部品により自撮り棒を三脚として使用できる。  
【００１４】
前記調節部品３０１は前記第二伸縮節１９の左側端面に固定的に装着された固定カバー２８を含み、前記固定カバー２８の左側端面には波紋管２９が固定的に装着され、前記データ線２０は前記波紋管２９を通してプラグと連結され、前記固定カバー２８の左側端面には第一摩擦盤３３がが固定的に装着され、前記第一つまみ３０が前記固定カバー２８とヒンジにより装着され、前記第一つまみ３０には第一調節ロッド３１が回転できるように装着され、前記第一調節ロッド３１の右側端面には第二摩擦盤３２が固定的に装着され、前記第一摩擦盤３３と前記第二摩擦盤３２とが摩擦により連結され、前記固定カバー２８には固定引っ掛かり外殻２７が固定的に装着され、前記第一調節ロッド３１の頂部端面には第二調節ロッド３４が固定的に装着され、前記第二つまみ３５が前記第二調節ロッド３４の前後端面に前後対称的に、且つ回転できるように装着され、これにより第一つまみ３０を回転させて装置に前後に角度を調節させることができ、第二つまみ５５を回転させて装置に左右に角度を調節させることができ、波紋管２９がデータ線２０を引き切ることを防止できる。
【００１５】
前記ブレ防止部品３０２はブレ防止外殻３６を含み、前記ブレ防止外殻３６が前記第二調節ロッド３４とスライドできるように装着され、前記ブレ防止外殻３６の中には第一ブレ防止チャンバ５１が設置され、前記第一ブレ防止チャンバ５１の中にはスライド外殻５０がスライドできるように装着され、前記スライド外殻５０の中には第二ブレ防止チャンバ４７が設置され、前記第一ブレ防止ばね５２が前記第一ブレ防止チャンバ５１の底壁と前記スライド外殻５０の底部端面との間に中心対称的に、且つ固定的に装着され、前記第一ブレ防止ばね５２が四つ設置され、且つ前記第一ブレ防止ばね５２が前記スライド外殻５０の中心を回って均一的に分布され、前記スライド外殻５０には底板ブロック３７が設置され、前記底板ブロック３７が前記スライド外殻５０とスライドできるように装着され、前記底板ブロック３７の底部端面には連接台４６が固定的に装着され、前記連接台４６には連接リング４８が固定的に装着され、前記第二ブレ防止ばね４９が前記連接リング４８の外側端面と前記第二ブレ防止チャンバ４７の内壁との間に中心対称的に、且つ固定的に装着され、前記第二ブレ防止ばね４９が六つ設置され、且つ前記第二ブレ防止ばね４９が前記連接台４６を回って均一的に分布され、前記底板ブロック３７の頂部端面には第一挟みロッド３９が前後対称的に、且つ固定的に装着され、前記第一挟みロッド３９の中には挟みスライド溝４１が設置され、前記挟みスライド溝４１の中には第二挟みロッド４２がスライドできるように装着され、前記第二挟みロッド４２の底部端面と前記挟みスライド溝４１の底壁との間には挟みばね４０が固定的に装着され、前記第二挟みロッド４２の頂部端面には挟み板４４が固定的に装着され、前記挟み板４４の底部端面には第一挟みゴム４５が固定的に装着され、前記底板ブロック３７の頂部端面には第二挟みゴム３８が固定的に装着され、前記第一挟みロッド３９の左側端面には挟み板ボタン４３がヒンジにより装着され、これにより前記挟み板ボタン４３を押し、挟み板ボタン４３が挟み板４４を推し動かして上方へ運動させ、携帯又はカメラを挟み、撮影をし始め、第一ブレ防止ばね５２が上下のブレを防止でき、第二ブレ防止ばね４９が前後左右のブレを防止できる。
【００１６】
使用する時、挟み板ボタン４３を押し、挟み板ボタン４３が挟み板４４を推し動かして上方へ運動させ、携帯又はカメラを挟み、撮影をし始め、第一ブレ防止ばね５２が上下のブレを防止でき、第二ブレ防止ばね４９が前後左右のブレを防止でき、第一つまみ３０を回転させて装置に前後に角度を調節させることができ、第二つまみ５５を回転させて装置に左右に角度を調節させることができ、波紋管２９がデータ線２０を引き切ることを防止でき、第二伸縮節１９と第一伸縮節１８とを広げた後、撮影ボタン１５を押して撮影を行い、撮影ボタン１５が撮影処理器１７を触発させて信号をデータ線２０に伝送させ、撮影の距離が比較的に遠い時、前記第一支持ロッド２と前記第二支持ロッド２３とを伸ばして地面又は体に支持して撮影を行い、他の補助部品により自撮り棒を三脚として使用でき、三脚として使用する時にリモコンを使用してブルートゥースモジュール１３を制御して撮影をする。
【００１７】
本発明の有益効果は：本発明の自撮り棒の内部にブルートゥースモジュールを設置し、自撮り棒の撮影距離を増やし、伸縮節に支持ロッドを装着して自撮り棒の安定性を向上させ、撮影する時に腕の受ける力を減らし、三脚として使用でき、自撮り棒の使用範囲を増やし、ブレ防止部品は撮影している携帯とカメラに狭い範囲でブレを防止でき、挟みヘッドがボタン式の挟み方式を使用して挟み板を開けることに便利を与える。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020140189.tif 000003
【図２】
2020140189.tif 000004
【手続補正書】
【提出日】令和1年11月20日(2019.11.20)
【手続補正１】
【補正対象書類名】特許請求の範囲
【補正対象項目名】全文
【補正方法】変更
【補正の内容】
【特許請求の範囲】
【請求項１】
正面視で、ハンドルを含み、前記ハンドルの外側端面にはゴムカバーが固定的に装着され、前記ハンドルには支持部品が連結され、前記支持部品は第一伸縮節と第二伸縮節とを含み、前記第二伸縮節には支持できる第一支持ロッドと第二支持ロッドとが固定的に装着され、前記第二伸縮節には装置の回転角度を調節する調節部品が固定的に装着され、前記調節部品は撮影角度を調節する第一つまみと第二つまみとを含み、前記調節機構の上側にはブレ防止部品が設置され、前記ブレ防止部品はブレを防止できる第一ブレ防止ばねと第二ブレ防止ばねとを含み、
前記支持部品は前記ハンドルの中に設置されたブルートゥース（登録商標）モジュールを含み、前記ゴムカバーが前記ハンドルの外側端面に固定的に装着され、前記ハンドルの中には電池チャンバが設置され、前記電池チャンバの中には蓄電池が固定的に装着され、前記ハンドルの中には処理器チャンバが設置され、前記処理器チャンバの頂部と前記ハンドルの頂部端面には撮影ボタンがスライドできるように装着され、前記処理器チャンバの中には撮影処理器が固定的に装着され、前記撮影処理器の左側にはデータ線が固定的に装着され、前記ハンドルの左側端面には第一伸縮節が固定的に装着され、前記第一伸縮節の中には第二伸縮節がスライドできるように装着され、前記第二伸縮節には固定ブロックが固定的に装着され、前記第一支持ロッドが前記固定ブロックにヒンジにより装着され、前記第二支持ロッドが前記第一支持ロッドとスライドできるように連結され、前記第二支持ロッドにはバックルが固定的に装着され、前記バックルが前記第一伸縮節に引っ掛かることができ、前記第二支持ロッドの底部端面には第一球形ボタンが固定的に装着され、前記第一球形ボタンの中には第二球形ボタンが回転できるように装着され、前記第二球形ボタンの底部端面には支持脚が固定的に装着され、これにより第二伸縮節と第一伸縮節とを広げた後、撮影ボタンを押して撮影を行い、撮影ボタンが撮影処理器を触発させて信号をデータ線に伝送させ、地面又は身体に支持して撮影するとき、第一支持ロッドと第二支持ロッドとを伸ばして地面又は体に支持して撮影を行い、
前記調節部品は前記第二伸縮節の左側端面に固定的に装着された固定カバーを含み、前記固定カバーの左側端面には波紋管が固定的に装着され、前記データ線は前記波紋管を通してプラグと連結され、前記固定カバーの左側端面には第一摩擦盤がが固定的に装着され、前記第一つまみが前記固定カバーとヒンジにより装着され、前記第一つまみには第一調節ロッドが回転できるように装着され、前記第一調節ロッドの右側端面には第二摩擦盤が固定的に装着され、前記第一摩擦盤と前記第二摩擦盤とが摩擦により連結され、前記固定カバーには固定引っ掛かり外殻が固定的に装着され、前記第一調節ロッドの頂部端面には第二調節ロッドが固定的に装着され、前記第二つまみが前記第二調節ロッドの前後端面に前後対称的に、且つ回転できるように装着され、これにより第一つまみを回転させて装置に前後に角度を調節させることができ、第二つまみを回転させて装置に左右に角度を調節させることができ、
前記ブレ防止部品はブレ防止外殻を含み、前記ブレ防止外殻が前記第二調節ロッドとスライドできるように装着され、前記ブレ防止外殻の中には第一ブレ防止チャンバが設置され、前記第一ブレ防止チャンバの中にはスライド外殻がスライドできるように装着され、前記スライド外殻の中には第二ブレ防止チャンバが設置され、前記第一ブレ防止ばねが前記第一ブレ防止チャンバの底壁と前記スライド外殻の底部端面との間に中心対称的に、且つ固定的に装着され、前記第一ブレ防止ばねが四つ設置され、且つ前記第一ブレ防止ばねが前記スライド外殻の中心を回って均一的に分布され、前記スライド外殻には底板ブロックが設置され、前記底板ブロックが前記スライド外殻とスライドできるように装着され、前記底板ブロックの底部端面には連接台が固定的に装着され、前記連接台には連接リングが固定的に装着され、前記第二ブレ防止ばねが前記連接リングの外側端面と前記第二ブレ防止チャンバの内壁との間に中心対称的に、且つ固定的に装着され、前記第二ブレ防止ばねが六つ設置され、且つ前記第二ブレ防止ばねが前記連接台を回って均一的に分布され、前記底板ブロックの頂部端面には第一挟みロッドが前後対称的に、且つ固定的に装着され、前記第一挟みロッドの中には挟みスライド溝が設置され、前記挟みスライド溝の中には第二挟みロッドがスライドできるように装着され、前記第二挟みロッドの底部端面と前記挟みスライド溝の底壁との間には挟みばねが固定的に装着され、前記第二挟みロッドの頂部端面には挟み板が固定的に装着され、前記挟み板の底部端面には第一挟みゴムが固定的に装着され、前記底板ブロックの頂部端面には第二挟みゴムが固定的に装着され、前記第一挟みロッドの左側端面には挟み板ボタンがヒンジにより装着され、これにより前記挟み板ボタンを押し、挟み板ボタンが挟み板を推し動かして上方へ運動させ、携帯又はカメラを挟み、撮影をし始め、第一ブレ防止ばねが上下のブレを防止でき、第二ブレ防止ばねが前後左右のブレを防止できることを特徴とするブレ防止自撮り棒。
【手続補正２】
【補正対象書類名】明細書
【補正対象項目名】全文
【補正方法】変更
【補正の内容】
【発明の詳細な説明】
【技術分野】
【０００１】
本発明は日用品技術分野を取り上げて、具体的にはブレ防止自撮り棒である。
【背景技術】
【０００２】
従来技術における自撮り棒は写真を撮る時にブレが起きる現象が発生しやすく、写真がぼやけ、撮影の質が悪く、自撮り棒を手で持って写真を撮るしかできないため、自撮り棒の機能が制限され、自撮り棒が応じられる環境は単一である。
【先行技術文献】
【特許文献】
【０００３】
【特許文献１】中国特許出願公開第１０９４９５６２７号明細書
【発明の概要】
【発明が解決しようとする課題】
【０００４】
本発明はブレ防止自撮り棒を提供し、従来技術における上記欠点を解消することを目的とする。
【課題を解決するための手段】
【０００５】
本発明の実施例のブレ防止自撮り棒は、ハンドルを含み、前記ハンドルの外側端面にはゴムカバーが固定的に装着され、前記ハンドルには支持部品が連結され、前記支持部品は第一伸縮節と第二伸縮節とを含み、前記第二伸縮節には支持できる第一支持ロッドと第二支持ロッドとが固定的に装着され、前記第二伸縮節には装置の回転角度を調節する調節部品が固定的に装着され、前記調節部品は撮影角度を調節する第一つまみと第二つまみとを含み、前記調節機構の上側にはブレ防止部品が設置され、前記ブレ防止部品はブレを防止できる第一ブレ防止ばねと第二ブレ防止ばねとを含む。
【０００６】
更の技術プランとしては、前記支持部品は前記ハンドルの中に設置されたブルートゥース（登録商標）モジュールを含み、前記ゴムカバーが前記ハンドルの外側端面に固定的に装着され、前記ハンドルの中には電池チャンバが設置され、前記電池チャンバの中には蓄電池が固定的に装着され、前記ハンドルの中には処理器チャンバが設置され、前記処理器チャンバの頂部と前記ハンドルの頂部端面には撮影ボタンがスライドできるように装着され、前記処理器チャンバの中には撮影処理器が固定的に装着され、前記撮影処理器の左側にはデータ線が固定的に装着され、前記ハンドルの左側端面には第一伸縮節が固定的に装着され、前記第一伸縮節の中には第二伸縮節がスライドできるように装着され、前記第二伸縮節には固定ブロックが固定的に装着され、前記第一支持ロッドが前記固定ブロックにヒンジにより装着され、前記第二支持ロッドが前記第一支持ロッドとスライドできるように連結され、前記第二支持ロッドにはバックルが固定的に装着され、前記バックルが前記第一伸縮節に引っ掛かることができ、前記第二支持ロッドの底部端面には第一球形ボタンが固定的に装着され、前記第一球形ボタンの中には第二球形ボタンが回転できるように装着され、前記第二球形ボタンの底部端面には支持脚が固定的に装着されている。
【０００７】
更の技術プランとしては、前記調節部品は前記第二伸縮節の左側端面に固定的に装着された固定カバーを含み、前記固定カバーの左側端面には波紋管が固定的に装着され、前記データ線は前記波紋管を通してプラグと連結され、前記固定カバーの左側端面には第一摩擦盤がが固定的に装着され、前記第一つまみが前記固定カバーとヒンジにより装着され、前記第一つまみには第一調節ロッドが回転できるように装着され、前記第一調節ロッドの右側端面には第二摩擦盤が固定的に装着され、前記第一摩擦盤と前記第二摩擦盤とが摩擦により連結され、前記固定カバーには固定引っ掛かり外殻が固定的に装着され、前記第一調節ロッドの頂部端面には第二調節ロッドが固定的に装着され、前記第二つまみが前記第二調節ロッドの前後端面に前後対称的に、且つ回転できるように装着されている。
【０００８】
更の技術プランとしては、前記ブレ防止部品はブレ防止外殻を含み、前記ブレ防止外殻が前記第二調節ロッドとスライドできるように装着され、前記ブレ防止外殻の中には第一ブレ防止チャンバが設置され、前記第一ブレ防止チャンバの中にはスライド外殻がスライドできるように装着され、前記スライド外殻の中には第二ブレ防止チャンバが設置され、前記第一ブレ防止ばねが前記第一ブレ防止チャンバの底壁と前記スライド外殻の底部端面との間に中心対称的に、且つ固定的に装着され、前記第一ブレ防止ばねが四つ設置され、且つ前記第一ブレ防止ばねが前記スライド外殻の中心を回って均一的に分布され、前記スライド外殻には底板ブロックが設置され、前記底板ブロックが前記スライド外殻とスライドできるように装着され、前記底板ブロックの底部端面には連接台が固定的に装着され、前記連接台には連接リングが固定的に装着され、前記第二ブレ防止ばねが前記連接リングの外側端面と前記第二ブレ防止チャンバの内壁との間に中心対称的に、且つ固定的に装着され、前記第二ブレ防止ばねが六つ設置され、且つ前記第二ブレ防止ばねが前記連接台を回って均一的に分布され、前記底板ブロックの頂部端面には第一挟みロッドが前後対称的に、且つ固定的に装着され、前記第一挟みロッドの中には挟みスライド溝が設置され、前記挟みスライド溝の中には第二挟みロッドがスライドできるように装着され、前記第二挟みロッドの底部端面と前記挟みスライド溝の底壁との間には挟みばねが固定的に装着され、前記第二挟みロッドの頂部端面には挟み板が固定的に装着され、前記挟み板の底部端面には第一挟みゴムが固定的に装着され、前記底板ブロックの頂部端面には第二挟みゴムが固定的に装着され、前記第一挟みロッドの左側端面には挟み板ボタンがヒンジにより装着されている。
【発明の効果】
【０００９】
本発明の有益効果は：本発明の自撮り棒の内部にブルートゥース（登録商標）モジュールを設置し、自撮り棒の撮影距離を増やし、伸縮節に支持ロッドを装着して自撮り棒の安定性を向上させ、撮影する時に腕の受ける力を減らし、三脚として使用でき、自撮り棒の使用範囲を増やし、ブレ防止部品は撮影している携帯とカメラに狭い範囲でブレを防止でき、挟みヘッドがボタン式の挟み方式を使用して挟み板を開けることに便利を与え、使用が便利であり、普及する価値がある。
【図面の簡単な説明】
【００１０】
下記に図１〜２をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の全体構成模式図
【図２】図２は図１のＡ−Ａ方向の断面構成模式図
【発明を実施するための形態】
【００１２】
図１〜２を参照し、本発明の実施例のブレ防止自撮り棒は、ハンドル１０を含み、前記ハンドル１０の外側端面にはゴムカバー１４が固定的に装着され、前記ハンドル１０には支持部品３００が連結され、前記支持部品３００は第一伸縮節１８と第二伸縮節１９とを含み、前記第二伸縮節１９には支持できる第一支持ロッド２２と第二支持ロッド２３とが固定的に装着され、前記第二伸縮節１９には装置の回転角度を調節する調節部品３０１が固定的に装着され、前記調節部品３０１は撮影角度を調節する第一つまみ３０と第二つまみ３５とを含み、前記調節機構の上側にはブレ防止部品３０２が設置され、前記ブレ防止部品３０２はブレを防止できる第一ブレ防止ばね５２と第二ブレ防止ばね４９とを含む。
【００１３】
前記支持部品３００は前記ハンドル１０の中に設置されたブルートゥース（登録商標）モジュール１３を含み、前記ゴムカバー１４が前記ハンドル１０の外側端面に固定的に装着され、前記ハンドル１０の中には電池チャンバ１１が設置され、前記電池チャンバ１１の中には蓄電池１２が固定的に装着され、前記ハンドル１０の中には処理器チャンバ１６が設置され、前記処理器チャンバ１６の頂部と前記ハンドル１０の頂部端面には撮影ボタン１５がスライドできるように装着され、前記処理器チャンバ１６の中には撮影処理器１７が固定的に装着され、前記撮影処理器１７の左側にはデータ線２０が固定的に装着され、前記ハンドル１０の左側端面には第一伸縮節１８が固定的に装着され、前記第一伸縮節１８の中には第二伸縮節１９がスライドできるように装着され、前記第二伸縮節１９には固定ブロック２１が固定的に装着され、前記第一支持ロッド２２が前記固定ブロック２１にヒンジにより装着され、前記第二支持ロッド２３が前記第一支持ロッド２２とスライドできるように連結され、前記第二支持ロッド２３にはバックル５３が固定的に装着され、前記バックル５３が前記第一伸縮節１８に引っ掛かることができ、前記第二支持ロッド２３の底部端面には第一球形ボタン２４が固定的に装着され、前記第一球形ボタン２４の中には第二球形ボタン２５が回転できるように装着され、前記第二球形ボタン２５の底部端面には支持脚２６が固定的に装着され、これにより第二伸縮節１９と第一伸縮節１８とを広げた後、撮影ボタン１５を押して撮影を行い、撮影ボタン１５が撮影処理器１７を触発させて信号をデータ線２０に伝送させ、地面又は身体に支持して撮影するとき、第一支持ロッド２と第二支持ロッド２３とを伸ばして地面又は体に支持して撮影を行う。
【００１４】
前記調節部品３０１は前記第二伸縮節１９の左側端面に固定的に装着された固定カバー２８を含み、前記固定カバー２８の左側端面には波紋管２９が固定的に装着され、前記データ線２０は前記波紋管２９を通してプラグと連結され、前記固定カバー２８の左側端面には第一摩擦盤３３がが固定的に装着され、前記第一つまみ３０が前記固定カバー２８とヒンジにより装着され、前記第一つまみ３０には第一調節ロッド３１が回転できるように装着され、前記第一調節ロッド３１の右側端面には第二摩擦盤３２が固定的に装着され、前記第一摩擦盤３３と前記第二摩擦盤３２とが摩擦により連結され、前記固定カバー２８には固定引っ掛かり外殻２７が固定的に装着され、前記第一調節ロッド３１の頂部端面には第二調節ロッド３４が固定的に装着され、前記第二つまみ３５が前記第二調節ロッド３４の前後端面に前後対称的に、且つ回転できるように装着され、これにより第一つまみ３０を回転させて装置に前後に角度を調節させることができ、第二つまみ５５を回転させて装置に左右に角度を調節させることができる。
【００１５】
前記ブレ防止部品３０２はブレ防止外殻３６を含み、前記ブレ防止外殻３６が前記第二調節ロッド３４とスライドできるように装着され、前記ブレ防止外殻３６の中には第一ブレ防止チャンバ５１が設置され、前記第一ブレ防止チャンバ５１の中にはスライド外殻５０がスライドできるように装着され、前記スライド外殻５０の中には第二ブレ防止チャンバ４７が設置され、前記第一ブレ防止ばね５２が前記第一ブレ防止チャンバ５１の底壁と前記スライド外殻５０の底部端面との間に中心対称的に、且つ固定的に装着され、前記第一ブレ防止ばね５２が四つ設置され、且つ前記第一ブレ防止ばね５２が前記スライド外殻５０の中心を回って均一的に分布され、前記スライド外殻５０には底板ブロック３７が設置され、前記底板ブロック３７が前記スライド外殻５０とスライドできるように装着され、前記底板ブロック３７の底部端面には連接台４６が固定的に装着され、前記連接台４６には連接リング４８が固定的に装着され、前記第二ブレ防止ばね４９が前記連接リング４８の外側端面と前記第二ブレ防止チャンバ４７の内壁との間に中心対称的に、且つ固定的に装着され、前記第二ブレ防止ばね４９が六つ設置され、且つ前記第二ブレ防止ばね４９が前記連接台４６を回って均一的に分布され、前記底板ブロック３７の頂部端面には第一挟みロッド３９が前後対称的に、且つ固定的に装着され、前記第一挟みロッド３９の中には挟みスライド溝４１が設置され、前記挟みスライド溝４１の中には第二挟みロッド４２がスライドできるように装着され、前記第二挟みロッド４２の底部端面と前記挟みスライド溝４１の底壁との間には挟みばね４０が固定的に装着され、前記第二挟みロッド４２の頂部端面には挟み板４４が固定的に装着され、前記挟み板４４の底部端面には第一挟みゴム４５が固定的に装着され、前記底板ブロック３７の頂部端面には第二挟みゴム３８が固定的に装着され、前記第一挟みロッド３９の左側端面には挟み板ボタン４３がヒンジにより装着され、これにより前記挟み板ボタン４３を押し、挟み板ボタン４３が挟み板４４を推し動かして上方へ運動させ、携帯又はカメラを挟み、撮影をし始め、第一ブレ防止ばね５２が上下のブレを防止でき、第二ブレ防止ばね４９が前後左右のブレを防止できる。
【００１６】
使用する時、挟み板ボタン４３を押し、挟み板ボタン４３が挟み板４４を推し動かして上方へ運動させ、携帯又はカメラを挟み、撮影をし始め、第一ブレ防止ばね５２が上下のブレを防止でき、第二ブレ防止ばね４９が前後左右のブレを防止でき、第一つまみ３０を回転させて装置に前後に角度を調節させることができ、第二つまみ５５を回転させて装置に左右に角度を調節させることができ、第二伸縮節１９と第一伸縮節１８とを広げた後、撮影ボタン１５を押して撮影を行い、撮影ボタン１５が撮影処理器１７を触発させて信号をデータ線２０に伝送させ、地面又は身体に支持して撮影するとき、前記第一支持ロッド２と前記第二支持ロッド２３とを伸ばして地面又は体に支持して撮影を行い、三脚として使用する時にリモコンを使用してブルートゥース（登録商標）モジュール１３を制御して撮影をする。
【００１７】
本発明の有益効果は：本発明の自撮り棒の内部にブルートゥース（登録商標）モジュールを設置し、自撮り棒の撮影距離を増やし、伸縮節に支持ロッドを装着して自撮り棒の安定性を向上させ、撮影する時に腕の受ける力を減らし、三脚として使用でき、自撮り棒の使用範囲を増やし、ブレ防止部品は撮影している携帯とカメラに狭い範囲でブレを防止でき、挟みヘッドがボタン式の挟み方式を使用して挟み板を開けることに便利を与える。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。